(57)【要約】【課題】定着工程において、従来よりコストを低減しつつ、高精度で温度検出を行うことができる画像形成装置及び温度検知装置を提供する。【解決手段】用紙上に形成されたトナー像を定められた定着温度で加熱定着する定着部材と、前記定着部材の近傍に配置されて前記定着部材から入射する赤外線を非接触で計測し温度検出する第一の温度検知素子と、前記定着部材の周辺温度又は雰囲気温度を非接触で検知する第二の温度検知素子とから構成される温度検知手段と、前記第一の温度検出素子の検知結果と前記第二の温度検知素子の検知結果の差分に基づいて前記定着部材の温度を算出する温度算出手段と、予め定められた温度補正情報と、前記温度算出手段から出力される前記定着部材の表面温度情報を補正する補正回路と、を備えた。【選択図】図３
2015004758.tif 000002
【特許請求の範囲】
【請求項１】
用紙上に形成されたトナー像を定められた定着温度で加熱定着する定着部材と、
前記定着部材の近傍に配置されて前記定着部材から入射する赤外線を非接触で計測し温度検出する第一の温度検知素子と、前記定着部材の周辺温度又は雰囲気温度を非接触で検知する第二の温度検知素子とから構成される温度検知手段と、
前記第一の温度検出素子の検知結果と前記第二の温度検知素子の検知結果の差分に基づいて前記定着部材の温度を算出する温度算出手段と、
予め定められた温度補正情報と、
前記温度算出手段から出力される前記定着部材の表面温度情報を補正する補正回路と、を備えた、
ことを特徴とする画像形成装置。
【請求項２】
前記補正回路が、スイッチング素子と前記スイッチング素子に接続された抵抗素子からなり、前記抵抗素子は、前記スイッチング素子を介して、前記温度算出手段に選択的に接続される、
ことを特徴とする請求項１に記載の画像形成装置。
【請求項３】
前記抵抗素子が、前記温度算出手段により算出される定着部材の温度が前記定着部材の定められた定着温度範囲として算出されるように選択され、
前記補正回路が、前記スイッチング素子を介して前記温度算出手段に接続されたときに、前記温度算出手段から出力される前記定着部材の表面温度情報と予め定められた前記温度補正情報との差分を算出して、予め定められた前記温度補正情報を一義的に補正する、
ことを特徴とする請求項１又は２に記載の画像形成装置。
【請求項４】
用紙上に形成されたトナー像を定められた定着温度で加熱定着する定着部材の近傍に配置されて前記定着部材から入射する赤外線を非接触で計測し温度検出する第一の温度検知素子と、前記定着部材の周辺温度又は雰囲気温度を非接触で検知する第二の温度検知素子とから構成される温度検知手段と、
前記第一の温度検出素子の検知結果と前記第二の温度検知素子の検知結果の差分に基づいて前記定着部材の温度を算出する温度算出手段と、
予め定められた温度補正情報から前記温度算出手段から出力される前記定着部材の表面温度情報を補正する補正回路と、を備えた、
ことを特徴とする温度検知装置。
【発明の詳細な説明】
【技術分野】
【０００１】
本発明は、画像形成装置及び温度検知装置に関する。
【背景技術】
【０００２】
所定の対象物体に近接配置された温度センサにより対象物体の温度を検出する温度検出装置に適用される温度誤検出防止装置として、対象物体に対する温度センサの姿勢の所定の基準状態に対するずれ量を測定する測定手段と、この測定手段により測定されたずれ量が所定量を超えたことに応じて、温度センサの検出出力が無効であると判定する有効性判定手段とを具備した温度誤検出防止装置が知られている（特許文献１）。
【先行技術文献】
【特許文献】
【０００３】
【特許文献１】特開２００１−１１６６２２号公報
【発明の概要】
【発明が解決しようとする課題】
【０００４】
本発明は、定着工程において、従来よりコストを低減しつつ、高精度で温度検出を行うことができる画像形成装置及び温度検知装置を提供することを目的とする。
【課題を解決するための手段】
【０００５】
前記課題を解決するために、請求項１に記載の画像形成装置は、
用紙上に形成されたトナー像を定められた定着温度で加熱定着する定着部材と、
前記定着部材の近傍に配置されて前記定着部材から入射する赤外線を非接触で計測し温度検出する第一の温度検知素子と、前記定着部材の周辺温度又は雰囲気温度を非接触で検知する第二の温度検知素子とから構成される温度検知手段と、
前記第一の温度検出素子の検知結果と前記第二の温度検知素子の検知結果の差分に基づいて前記定着部材の温度を算出する温度算出手段と、
予め定められた温度補正情報と、
前記温度算出手段から出力される前記定着部材の表面温度情報を補正する補正回路と、を備えた、
ことを特徴とする。
【０００６】
請求項２記載の発明は、請求項１に記載の画像形成装置において、
前記補正回路が、スイッチング素子と前記スイッチング素子に接続された抵抗素子からなり、前記抵抗素子は、前記スイッチング素子を介して、前記温度算出手段に選択的に接続される、
ことを特徴とする。
【０００７】
請求項３記載の発明は、請求項１又は２に記載の画像形成装置において、
前記抵抗素子が、前記温度算出手段により算出される定着部材の温度が前記定着部材の定められた定着温度範囲として算出されるように選択され、
前記補正回路が、前記スイッチング素子を介して前記温度算出手段に接続されたときに、前記温度算出手段から出力される前記定着部材の表面温度情報と予め定められた前記温度補正情報との差分を算出して、予め定められた前記温度補正情報を一義的に補正する、
ことを特徴とする。
【０００８】
前記課題を解決するために、請求項４に記載の温度検知装置は、
用紙上に形成されたトナー像を定められた定着温度で加熱定着する定着部材の近傍に配置されて前記定着部材から入射する赤外線を非接触で計測し温度検出する第一の温度検知素子と、前記定着部材の周辺温度又は雰囲気温度を非接触で検知する第二の温度検知素子とから構成される温度検知手段と、
前記第一の温度検出素子の検知結果と前記第二の温度検知素子の検知結果の差分に基づいて前記定着部材の温度を算出する温度算出手段と、
予め定められた温度補正情報から前記温度算出手段から出力される前記定着部材の表面温度情報を補正する補正回路と、を備えた、
ことを特徴とする。
【発明の効果】
【０００９】
本発明によれば、定着工程において、従来よりコストを低減しつつ、高精度で温度検出を行うことができる。
【図面の簡単な説明】
【００１０】
【図１】画像形成装置１の内部構成を示す断面模式図である。
【図２】（ａ）は定着装置６０の機能構成を示すブロック図、（ｂ）は温度センサ６３の構成を示す断面模式図である。
【図３】温度補正回路を備えた温度センサ６３の検出回路図である。
【図４】温度補正テーブルＬＵＴと定着ローラ６１の温度との関係を示す模式図である。
【図５】温度補正回路１２３及び環境センサＥＳを備えた画像形成装置１の制御ブロック図である。
【図６】電源投入時毎に環境条件に合わせて行う温度補正動作のフローチャートである。
【図７】環境条件が変化した場合に行う温度補正動作のフローチャートである。
【図８】温度検知装置６３０を備えた画像形成装置１００の制御ブロック図である。
【図９】温度補正回路を備えていない比較例の温度センサ６３の検出回路図である。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１２】
「第１実施形態」
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１３】
（１．１）画像形成装置のシステム構成
画像形成装置１は、制御装置１０、給紙装置２０、感光体ユニット３０、現像装置４０、転写装置５０、定着装置６０を備えて構成されている。画像形成装置１の上面（Ｚ方向）には、画像が記録された用紙が排出・収容される排出トレイ１ａが形成されている。
【００１４】
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。電源装置１４は、後述する帯電ローラ３２、現像ローラ４２、一次転写ローラ５２、二次転写ローラ５３等に電圧を印加するとともに、露光装置ＬＨに電力を供給する。
【００１５】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１６】
（１．２）画像形成部の構成と動作
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１７】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１８】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００１９】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２０】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、とから構成されている。
【００２１】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２２】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２３】
定着装置６０は定着ローラ６１と加圧ローラ６２を有し、定着ローラ６１と加圧ローラ６２の圧接領域によってニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の定着ローラ６１と加圧ローラ６２により、圧着と加熱の作用でトナー像が定着される。
定着トナー像が形成された用紙Ｐは、搬送ガイド６５ａ、６５ｂによってガイドされ、排出ローラ対６９から画像形成装置１上面の排出トレイ１ａに排出される。
【００２４】
（２）定着装置の構成と温度制御回路構成
図２（ａ）は定着装置６０の機能構成を示すブロック図、図２（ｂ）は温度センサ６３の構成を示す断面模式図である。
以下、図面を参照しながら定着装置６０の構成及び定着工程の温度制御動作について説明する。
【００２５】
（２．１）定着装置の温度制御の概略構成
定着装置６０は、用紙Ｐ上に形成されたトナー像を加熱定着する定着部材の一例として、互いに圧接して回転駆動される定着ローラ６１及び加圧ローラ６２と、定着ローラ６１の表面温度を検出する温度検知手段としての温度センサ６３とから構成されている。
定着装置６０の定着ローラ６１には、発熱体の一例としての定着ランプ６５が内蔵されており、この定着ランプ６５の点灯時に発する熱によって定着ローラ６１が加熱されるようになっている。定着ランプ６５は、画像形成装置制御部１１と、電源装置１４の一部を構成する低電圧電源１４０とによって制御される。
【００２６】
温度センサ６３は、被測定物としての定着ローラ６１に対向して非接触で配置され、定着ローラ６１の表面から放射される赤外線ＩＲを感熱フィルム６３Ａで受けて、熱に変換する。この熱を第一の温度検知素子としての検知用サーミスタ（Ｔｄ）６３Ｂで検出して、温度データとして出力する。
【００２７】
このとき検知用サーミスタ（Ｔｄ）６３Ｂのみでは温度センサ６３自身の温度を知ることができず正確な温度検出が行えない。
そのために第二の温度検知素子としての温度補償用センサである補償用サーミスタ（Ｔｃ）６３Ｃを内蔵し、温度センサ６３自体の温度・周囲の雰囲気温度を測定する。補償用サーミスタ６３Ｃは外部から発せられる赤外線が届かないため温度センサ６３の内部温度および内部温度を決定する周囲の雰囲気温度を測定できる。
【００２８】
定着リレー１１１は、低電圧電源１４０から駆動電圧を供給されて動作するスイッチ素子であり、交流電源から定着ランプ６５への供給電力を通電又は遮断する。
画像形成装置制御部１１は、温度センサ６３から入力された温度信号に基づいて、スイッチ素子１１２を介して、定着ランプ６５を点灯させて、定着ローラ６１の表面温度が定着に適した温度になるように制御する。
【００２９】
具体的には、補償用サーミスタ（Ｔｃ）６３Ｃの抵抗値変化から得られる電圧値と、検知用サーミスタ６３Ｂからの出力電圧をオペアンプで数倍に増幅した電圧値と補償用サーミスタ（Ｔｃ）６３Ｃの抵抗値変化から得られる電圧値との差分を取得してＡ／Ｄ変換回路１２２に入力してデジタル化された温度データを得る。
そして、デジタル化された温度データと予め定められた温度補正情報としての温度補正テーブルに基づいて定着ローラ６１の温度を算出して、定着ローラ６１が規定温度になるように、画像形成装置制御部１１によりスイッチ素子１１２を介して定着ランプ６５のＯＮ／ＯＦＦを行い温度制御を実施している。
【００３０】
（２．２）温度補正回路の構成
図３は、温度センサ６３の検知回路１２０が備える温度補正回路１２３を説明する回路図、図９は温度補正回路１２３を有しない比較例の画像形成装置２００における温度センサ６３の検知回路２２０である。
以下、図面を参照しながら温度補正回路１２３の作用について、温度補正回路１２３を備えていない比較例の画像形成装置２００と対比しながら説明する。尚、以下の説明において、それぞれの画像形成装置における共通の構成要素には、同一の符号を付し、その詳細な説明は省略する。
【００３１】
（２．２．１）比較例の検出回路
図９において、検知回路２２０は、検知抵抗Ｒ１、補償抵抗Ｒ２、増幅回路１２１、Ａ／Ｄ変換回路１２２で構成されている。
検知抵抗Ｒ１は検知用サーミスタ（Ｔｄ）６３Ｂに直列に接続され、補償抵抗Ｒ２は補償用サーミスタ６３Ｃに直列に接続されている。尚、これらも直列接続それぞれには、３．３Ｖの基準電圧（ＡＶＲＥＦ）が印加されている。
【００３２】
増幅回路１２１は、抵抗Ｒ３、抵抗Ｒ４、抵抗Ｒ５、抵抗Ｒ６、第１オペアンプ１２１１、及び第２オペアンプ１２１２で構成されている。
【００３３】
増幅回路１２１の第１オペアンプ１２１１の入力端子には、直列接続された検知用サーミスタ（Ｔｄ）６３Ｂと検知抵抗Ｒ１の分圧が入力され、第１オペアンプ１２１１の出力に接続されると共に抵抗Ｒ３と直列に接続された抵抗Ｒ４と抵抗Ｒ３の分圧が第１オペアンプ１２１１の反転入力端子に入力されている。
【００３４】
増幅回路１２１の第２オペアンプ１２１２の反転入力端子には、第１オペアンプ１２１１の出力が抵抗Ｒ５を介して入力され、直列接続された補償用サーミスタ６３Ｃと補償抵抗Ｒ２の分圧が第２オペアンプ１２１２の入力端子に入力されている。また、第２オペアンプ１２１２の反転入力端子と出力端子は、抵抗Ｒ６を介して接続されている。
【００３５】
第２オペアンプ１２１２からの出力電圧Ｖｏ及び直列接続された補償用サーミスタ６３Ｃと補償抵抗Ｒ２の分圧Ｖｃは、Ａ／Ｄ変換器００でそれぞれＶｏはデジタル値ＡＤｄｉｆｆに変換され、Ｖｃはデジタル値ＡＤｔｅｍｐに変換される。
【００３６】
検知回路２２０では、Ａ／Ｄ変換回路１２２で変換されたデジタル値ＡＤｄｉｆｆ及びデジタル値ＡＤｔｅｍｐと、温度補正テーブルＬＵＴに基づいて、定着ローラ６１の温度を推定している。尚、ＡＤ変換精度は、１０ｂｉｔ（１０２４）としている。
【００３７】
温度補正テーブルＬＵＴは、デジタル値ＡＤｄｉｆｆ及びデジタル値ＡＤｔｅｍｐに基づいて、定着ローラ６１の温度を推定するものであり、温度センサ６３に対応して予め定められ画像形成装置制御部１１の不揮発メモリＭに格納されている。
具体的には、以下のようにして定められる。すなわち、検知回路１２０において、デジタル値ＡＤｄｉｆｆ及びデジタル値ＡＤｔｅｍｐに基づいて、検知用サーミスタ（Ｔｄ）６３Ｂの抵抗値（ｒｄ）及び補償用サーミスタ６３Ｃの抵抗値（ｒｃ）を算出する。
そして、算出されたそれぞれの抵抗値（ｒｄ、ｒｃ）に基づいて検知用サーミスタ（Ｔｄ）６３Ｂで検出されている温度（Ｔｄ）及び補償用サーミスタ６３Ｃで検出されている温度（Ｔｃ）を算出し、温度センサ６３の素子の特性値を加味して定着ローラ６１の温度の推定値が得られる。
【００３８】
検知用サーミスタ（Ｔｄ）６３Ｂの抵抗値（ｒｄ）は、検知回路２２０における検知抵抗Ｒ１及び増幅回路１２１の抵抗Ｒ３、抵抗Ｒ４、抵抗Ｒ５、抵抗Ｒ６に依存して定まる。
また、補償用サーミスタ６３Ｃの抵抗値（ｒｃ）は、検知回路２２０における補償抵抗Ｒ２に依存して定まる。
【００３９】
そのために、デジタル値ＡＤｄｉｆｆ及びデジタル値ＡＤｔｅｍｐと、温度補正テーブルＬＵＴに基づいて、定着ローラ６１の温度を精度よく推定するためには、例えば０．１％という高い精度の検知抵抗Ｒ１、補償抵抗Ｒ２及び増幅回路１２１の抵抗Ｒ３、抵抗Ｒ４、抵抗Ｒ５、抵抗Ｒ６が必要とされる。
【００４０】
一方、増幅回路１２１の抵抗Ｒ３、抵抗Ｒ４、抵抗Ｒ５、抵抗Ｒ６に０．５％程度のバラツキがあった場合には、実際に測定された定着ローラ６１の温度と、デジタル値ＡＤｄｉｆｆ及びデジタル値ＡＤｔｅｍｐと、温度補正テーブルＬＵＴに基づいて推定された定着ローラ６１の温度とは４°Ｃないし６°Ｃの差が発生する虞があった。
係る温度差は、定着動作が行われる設定温度領域では、画像品質に影響を及ぼすために、精度よく検出される必要があるが、画像形成装置２００が電源が投入された後の定着動作を行わない、いわゆるウォームアップ動作時には高い精度は要求されない。
【００４１】
（２．２．２）温度補正回路
図３に示すように、本実施形態に係る温度センサ６３の検知回路１２０は、検知抵抗Ｒ１、補償抵抗Ｒ２、増幅回路１２１、温度補正回路１２３、Ａ／Ｄ変換回路１２２で構成されている。
検知抵抗Ｒ１はスイッチング素子としてのＦＥＴ１２４を介して検知用サーミスタ（Ｔｄ）６３Ｂに直列に接続され、補償抵抗Ｒ２はＦＥＴ１２５を介して補償用サーミスタ６３Ｃに直列に接続されている。尚、これらも直列接続それぞれには、３．３Ｖの基準電圧（ＡＶＲＥＦ）が印加されている。
【００４２】
温度補正回路１２３は、検知用サーミスタ（Ｔｄ）６３Ｂと検知抵抗Ｒ１の分圧及び補償用サーミスタ６３Ｃと補償抵抗Ｒ２の分圧が、ＦＥＴ１２６、１２７を介してそれぞれの補正抵抗Ｒｄ、Ｒｃと共に画像形成装置制御部１１のＣＰＵにより選択的に接続されるように構成されている。
【００４３】
すなわち、検知用サーミスタ（Ｔｄ）６３Ｂと検知抵抗Ｒ１の分圧は、ＦＥＴ１２６のＯＮ／ＯＦＦによって補正抵抗Ｒｄと接続又は切離され、補償用サーミスタ６３Ｃと補償抵抗Ｒ２の分圧は、ＦＥＴ１２７のＯＮ／ＯＦＦによって補正抵抗Ｒｃと接続又は切離される。
【００４４】
（３）定着装置の温度制御
（３．１）プリント実行中の温度補正
図４は温度補正テーブルＬＵＴと定着ローラ６１の温度との関係を示す模式図である。図４において、縦軸は補償用サーミスタ６３Ｃで検出されるデジタル値ＡＤｔｅｍｐ、横軸は検知用サーミスタ６３Ｂからの出力電圧をオペアンプで数倍に増幅した電圧値と補償用サーミスタ（Ｔｃ）６３Ｃの抵抗値変化から得られる電圧値との差分のデジタル値ＡＤｄｉｆｆを示す。
【００４５】
図４の温度補正テーブル中に示す矢印の実線は、画像形成装置１が電源投入された後、ウォームアップ動作を経てプリント及び待機を繰り返すときの、定着ローラ６１の温度推定値の変化（移行）を示している。画像形成装置１は、図中、ウォームアップ動作が完了して、定着ローラ６１の温度が設定温度になった時点で、プリントが開始され、定着ローラ６１は、点線の枠に示した領域内のデジタル値ＡＤｔｅｍｐ及びデジタル値ＡＤｄｉｆｆ内でプリントと待機を繰り返す。
【００４６】
本実施形態における温度補正回路１２３の補正抵抗Ｒｄ、Ｒｃは図４中の点線の枠内における定着ローラ６１の温度となる抵抗値が選択されている。一例として、ＡＤｔｅｍｐ値が５４３〜４６３、ＡＤｄｉｆｆ値が３８３〜５４３の領域で選択されている。
そして、温度補正処理を実行する場合には、ＦＥＴ１２６、ＦＥＴ１２７が画像形成装置制御部１１のＣＰＵによってＯＮとされ、検知用サーミスタ（Ｔｄ）６３Ｂと検知抵抗Ｒ１の分圧及び補償用サーミスタ６３Ｃと補償抵抗Ｒ２の分圧は、それぞれ補正抵抗Ｒｄ、Ｒｃを含んだ値としてＡＤ変換される。
【００４７】
そして、温度補正処理を行う対象領域、例えば図４中のデジタル値ＡＤｔｅｍｐが５４３〜４６３、ＡＤｄｉｆｆ値が３８３〜５４３の領域において、予め定められた温度補正テーブルＬＵＴと温度補正回路１２３を介してＡＤ変換されたデジタル値の差分を算出して、温度補正テーブルＬＵＴ全体を一義的に補正する。
その結果、増幅回路１２１の抵抗Ｒ３、抵抗Ｒ４、抵抗Ｒ５、抵抗Ｒ６の抵抗バラツキの影響を受けることなく定着ローラ９１の温度制御を実行することができる。
【００４８】
尚、通常時（電源投入された後のウォームアップ動作中）は、ＦＥＴ１２４、１２５がＯＮとされ、検知用サーミスタ（Ｔｄ）６３Ｂと検知抵抗Ｒ１の分圧及び補償用サーミスタ６３Ｃと補償抵抗Ｒ２の分圧は、増幅回路１２１を介してＡ／Ｄ変換回路１２２でＡＤ変換されデジタル値ＡＤｔｅｍｐ及びＡＤｄｉｆｆ値が得られる。
【００４９】
（３．２）環境条件が変化した場合の温度補正
図５は検知回路１２０と環境センサＥＳを備えた画像形成装置１の制御ブロック図、図６は電源投入時毎に環境条件に合わせて行う温度補正動作のフローチャート、図７は環境条件が変化した場合に行う温度補正動作のフローチャートである。以下、図面を参照しながら、画像形成装置１の環境条件が変化した場合の温度補正動作について説明する。
【００５０】
画像形成装置１は、図５に示すように、画像形成装置制御部１１は、定着ローラ６１の温度検知を行う温度センサ６３と、画像形成装置１の周囲の環境条件である雰囲気の温度・湿度を検知する環境センサＥＳと、画像形成装置１の制御のための各種データ等を格納する不揮発メモリＭと備えて構成されている。
【００５１】
（３．２．１）電源投入時毎に環境条件に合わせて行う温度補正動作
画像形成装置１は、電源投入時の雰囲気温度・湿度等の環境条件に合わせて温度補正回路１２３を介して定着ローラ６１の温度補正を行うことができる。
【００５２】
画像形成装置１の電源が投入されると（Ｓ１００）、まずウォームアップ状態へと移行する。ウォームアップ状態では、画像形成装置１内の機械的機構の初期化及び定着装置６０の定着ランプ６５へ電力が供給され暖機が行われる（Ｓ１１０）。
【００５３】
次に、ウォームアップ状態で、環境センサＥＳから雰囲気温度・湿度等の環境条件を受け付けて（Ｓ１２０）、環境条件を不揮発メモリＭに格納する。
そして、ＦＥＴ１２６、ＦＥＴ１２７が画像形成装置制御部１１のＣＰＵによってＯＮとされ、温度補正回路１２３を介して得られたデジタル値ＡＤｔｅｍｐ及びＡＤｄｉｆｆ値に対して、不揮発メモリＭに格納された環境条件を参照して算出された補正値を増加減して、温度補正テーブルＬＵＴ全体を一義的に補正する（Ｓ１３０）。
【００５４】
温度補正値が決定され、定着ローラ６１が設定温度になった時点でウォームアップ状態は完了し、待機状態となる（Ｓ１４０）。そして、プリント指示（Ｓ１５０：Ｙｅｓ）に従ってプリントを実行する（Ｓ１６０）。
また、プリント指示がない場合（Ｓ１５０：Ｎｏ）、節電モードに移行するか否かの判断がなされ（Ｓ１７０）、節電モードへの移行がなされないとき（Ｓ１７０：Ｎｏ）は、待機状態を継続し、節電モードへの移行がなされるとき（Ｓ１７０：Ｙｅｓ）は、節電モードに移行する（Ｓ１８０）。
【００５５】
画像形成装置１は、温度補正回路１２３を備えているために、画像形成装置１の電源投入時毎に、そのときの雰囲気温度・湿度等の環境条件に合わせて、温度補正処理を行うことができる。
【００５６】
（３．２．２）環境条件が変化した場合に行う温度補正動作
画像形成装置１は、前回の温度補正処理時の環境条件を不揮発メモリＭから読み出して、現在の環境条件と比較し、環境条件が予め定められた範囲を超えて変化した場合に、温度補正回路１２３を介して定着ローラ６１の温度補正を行うことができる。
【００５７】
画像形成装置１の電源が投入されると（Ｓ２００）、まずウォームアップ状態へと移行し、画像形成装置１内の機械的機構の初期化及び定着装置６０の定着ランプ６５へ電力が供給され暖機が行われる（Ｓ２１０）。
【００５８】
そして、ウォームアップ状態で、環境センサＥＳから雰囲気温度・湿度等の環境条件を受け付けるとともに、前回の温度補正処理時の環境条件を不揮発メモリＭから読み出して、環境条件の変化が予め定められた範囲内か否か判断する（Ｓ２２０）。
【００５９】
環境変化が予め定められた範囲を超えていると判断された場合（Ｓ２２０：Ｙｅｓ）、ＦＥＴ１２６、ＦＥＴ１２７が画像形成装置制御部１１のＣＰＵによってＯＮとされ、温度補正回路１２３を介して得られたデジタル値ＡＤｔｅｍｐ及びＡＤｄｉｆｆ値に対して、不揮発メモリＭに格納された現在の環境条件を参照して算出された補正値を増加減して、温度補正テーブルＬＵＴ全体を一義的に補正する（Ｓ２３０）。
【００６０】
算出された補正値と現在の環境条件は不揮発メモリＭに格納され（Ｓ２４０）、定着ローラ６１が設定温度になった時点で待機状態となり（Ｓ２５０）、プリント指示（Ｓ２６０：Ｙｅｓ）に従ってプリントを実行する（Ｓ２７０）。
また、プリント指示がない場合（Ｓ２６０：Ｎｏ）、節電モードに移行するか否かの判断がなされ（Ｓ２８０）、節電モードへの移行がなされないとき（Ｓ２８０：Ｎｏ）は、待機状態を継続し、節電モードへの移行がなされるとき（Ｓ２８０：Ｙｅｓ）は、節電モードに移行する（Ｓ２９０）。
【００６１】
画像形成装置１は、温度補正回路１２３を備えているために、環境条件が予め定められた範囲を超えて変化した場合に、温度補正回路１２３を介して定着ローラ６１の温度補正を行うことができる。
【００６２】
「第２実施形態」
図８は、温度センサ６３と温度補正回路１２３とを有する温度検知装置６３０を備えた画像形成装置１００の制御ブロック図である。画像形成装置１００は、温度センサ６３が温度補正回路１２３を備えた温度検知装置６３０を備えている点で、温度補正回路１２３を画像形成装置制御部１１に備えている画像形成装置１と異なっている。以下の説明において、共通の構成要素には、同一の符号を付し、その詳細な説明は省略する。
【００６３】
温度検知装置６３０は、定着ローラ６１の表面から放射される赤外線ＩＲを感熱フィルム６３Ａで受けて熱に変換して、温度データとして出力する第一の温度検知素子としての検知用サーミスタ（Ｔｄ）６３Ｂ及び温度センサ６３自体の温度・周囲の雰囲気温度を測定する第二の温度検知素子としての温度補償用センサである補償用サーミスタ（Ｔｃ）６３Ｃからなる温度センサ６３を有する。
【００６４】
温度補正回路１２３は、検知抵抗Ｒ１、補償抵抗Ｒ２、補正抵抗Ｒｄ、Ｒｃ及びＦＥＴからなり、増幅回路１２１を介してＡ／Ｄ変換回路１２２に接続される。
【００６５】
検知用サーミスタ（Ｔｄ）６３Ｂには、検知抵抗Ｒ１がスイッチング素子としてのＦＥＴ１２４を介して直列に接続され、補償用サーミスタ６３Ｃには補償抵抗Ｒ２がＦＥＴ１２５を介して直列に接続されている。
【００６６】
検知用サーミスタ（Ｔｄ）６３Ｂと検知抵抗Ｒ１の分圧及び補償用サーミスタ６３Ｃと補償抵抗Ｒ２の分圧は、ＦＥＴ１２６、１２７を介してそれぞれの補正抵抗Ｒｄ、Ｒｃと共に画像形成装置制御部１１のＣＰＵにより選択的に接続されるように構成されている。
【００６７】
このように構成される温度検知装置６３０を用いれば、画像形成装置１００の画像形成装置制御部１１に備えられた増幅回路１２１の抵抗Ｒ３、抵抗Ｒ４、抵抗Ｒ５、抵抗Ｒ６の抵抗バラツキの影響を受けることなく定着ローラ９１の温度制御を実行することができる。
【００６８】
尚、温度検知装置６３０における温度補正回路１２３の配置については特に限定されず、温度センサ６３の保持体と分離して配置することもでき、また、検知抵抗Ｒ１及び補償抵抗Ｒ２とともに温度センサ６３の保持体に一体として配置することもできる。
【００６９】
以上、本発明に係る実施形態を詳述したが、本発明は上記実施形態に限定されるものではなく、特許請求の範囲に記載された本発明の要旨の範囲内で種々の変更を行うことが可能である。例えば、発熱体にハロゲンランプに代表される定着ランプを用いた加熱方式の定着装置に限らず、電磁誘導加熱方式の定着装置であっても適用することができる。
【符号の説明】
【００７０】
１、１００、２００・・・画像形成装置
１０・・・制御装置
１１・・・画像形成装置制御部
１４・・・電源装置
２０・・・給紙装置
３０・・・感光体ユニット
４０・・・現像装置
５０・・・転写装置
６０・・・定着装置
６１・・・定着ローラ
６２・・・加圧ローラ
６３・・・温度センサ
６３Ａ・・・感熱フィルム
６３Ｂ・・・検知用サーミスタ
６３Ｃ・・・補償用サーミスタ
６３０・・・温度検知装置
６５・・・定着ランプ
１２０、２２０・・・検知回路
１２１・・・増幅回路
１２１１・・・第１オペアンプ
１２１２・・・第１オペアンプ
１２２・・・Ａ／Ｄ変換回路
１２３・・・補正回路
１２４、１２５、１２６、１２７・・・ＦＥＴ（スイッチング素子）
Ｒｃ、Ｒｄ・・・補正抵抗
ＥＳ・・・環境センサ
Ｍ・・・不揮発メモリ
ＬＵＴ・・・温度補正テーブル
【図１】
2015004758.tif 000003
【図２】
2015004758.tif 000004
【図３】
2015004758.tif 000005
【図４】
2015004758.tif 000006
【図５】
2015004758.tif 000007
【図６】
2015004758.tif 000008
【図７】
2015004758.tif 000009
【図８】
2015004758.tif 000010
【図９】
2015004758.tif 000011